(57)【要約】【課題】水彩効果を示すワックス系着色クレヨンの提供。【解決手段】本発明は、多孔質面及び非多孔質面用のワックス系着色クレヨンを提供する。該クレヨンは、（ａ）少なくとも１種のワックス；（ｂ）エトキシ化脂肪族アルコール；（ｃ）ステアリン；（ｄ）充填剤；（ｅ）少なくとも１種の顔料；及び必要に応じて（ｆ）添加剤を含有する。【選択図】なし【特許請求の範囲】
【請求項１】
多孔質面及び非多孔質面用のワックス系着色クレヨンであって、
（ａ）少なくとも１種のワックス；
（ｂ）エトキシ化脂肪族アルコール；
（ｃ）ステアリン；
（ｄ）充填剤；
（ｅ）少なくとも１種の顔料；及び
必要に応じて（ｆ）添加剤
を含有する着色クレヨン。
【請求項２】
上記ワックス（ａ）は、パラフィン、マイクロクリスタリンワックス、蜜蝋、ポリエチレンワックス、ペンタエリスリトールステアレート、及びこれらの混合物から、好ましくはパラフィン、マイクロクリスタリンワックス、蜜蝋、及びこれらの混合物から、更に好ましくはパラフィンとマイクロクリスタリンワックスとの混合物及び蜜蝋とマイクロクリスタリンワックスとの混合物から選択される、請求項１に記載の着色クレヨン。
【請求項３】
上記ワックス（ａ）の含有量は、上記クレヨンの総重量に対して５〜７５重量％、好ましくは１０〜５０重量％、更に好ましくは１５〜３５重量％の範囲である、請求項１又は２に記載の着色クレヨン。
【請求項４】
上記エトキシ化脂肪族アルコール（ｂ）は、エトキシ化セチルアルコール、エトキシ化ステアリルアルコール、エトキシ化セトステアリルアルコール、及びこれらの混合物から選択され、好ましくは下記式Ｉ：
ＣＨ３−（ＣＨ２）ｍ−（Ｏ−ＣＨ２−ＣＨ２）ｎ−ＯＨ
（式中、ｍ＝１５又は１７であり、ｎは２〜１００、好ましくは２４〜５１の範囲の整数である）で表されるエトキシ化セトステアリルアルコールである、請求項１〜３のいずれか１項に記載の着色クレヨン。
【請求項５】
上記エトキシ化脂肪族アルコール（ｂ）の含有量は、上記クレヨンの総重量に対して２０〜７０重量％、好ましくは２５〜５０重量％、更に好ましくは２５〜４５重量％の範囲である、請求項１〜４のいずれか１項に記載の着色クレヨン。
【請求項６】
上記ステアリン（ｃ）の含有量は、上記クレヨンの総重量に対して１０〜４０重量％、好ましくは１５〜３０重量％、更に好ましくは１７〜２５重量％の範囲である、請求項１〜５のいずれか１項に記載の着色クレヨン。
【請求項７】
上記充填剤（ｄ）は、粘土、カオリン、モンモリロナイト、ベントナイト、シリカ、マイカ、タルク、炭酸カルシウム、ケイ酸マグネシウム、ケイ酸アルミニウム、及びこれらの混合物からなる群より選択され、好ましくはカオリンである、請求項１〜６のいずれか１項に記載の着色クレヨン。
【請求項８】
上記充填剤（ｄ）の含有量は、上記クレヨンの総重量に対して５〜４０重量％、好ましくは１０〜２０重量％、特に１４〜１７重量％の範囲である、請求項１〜７のいずれか１項に記載の着色クレヨン。
【請求項９】
上記顔料（ｅ）の含有量は、上記クレヨンの総重量に対して２〜１０重量％、好ましくは２．５〜５重量％の範囲である、請求項１〜８のいずれか１項に記載の着色クレヨン。
【請求項１０】
上記添加剤（ｆ）の含有量は、上記クレヨンの総重量に対して０〜６重量％の範囲であり、好ましくは、少なくとも１種の添加剤（ｆ）が、上記クレヨンの総重量に対して１〜６重量％の範囲の含有量で含まれる、請求項１〜９のいずれか１項に記載の着色クレヨン。
【発明の詳細な説明】
【技術分野】
【０００１】
本発明は、多孔質又は非多孔質の表面に使用するためのワックス系着色クレヨンに関する。
【背景技術】
【０００２】
ワックス系着色クレヨンは先行技術において既に知られている。ワックスクレヨン又はワックスパステルとしても知られるこれらのクレヨンは、黒板に筆記するためのチョークと同じような大きさであるが、脂肪をワックス等として特に高比率で含む点で異なる。この脂肪はクレヨンの基剤として機能するが、製造時には溶融させてから他の成分を投入する。ワックス系クレヨンは、一般的には紙に着色するのに使用される。しかしながら、外筒を必要とすることなく、従って使用時に壊れることなく、そのまま使用するのに十分な機械的特性を有することから、色鉛筆の「芯」として使用されることを意図したものではない。また、このようなクレヨンは毒性が無いにもかかわらず、一般的には肌への使用を意図したものではない。このようなクレヨンに伴う問題としては、たった１種類の媒体、すなわち紙のような多孔質面のみに使用されることが意図されており、材料中にワックスが含まれるため洗浄しても残留してしまうことから、特に肌又は衣類についた場合に消すのが困難である点が挙げられる。非多孔質面の場合も、特に乾燥時は消すのが困難である。
【０００３】
本発明者らは、ワックスの一部をエトキシ化脂肪族アルコールに置き換えることで、非多孔質面に使用でき、そのような表面において水で落とせると共に、乾燥したら消すこともでき、紙等の多孔質面において水彩効果を示すワックス系着色クレヨンが得られることを見出した。更に、このクレヨンは肌から洗い落とすのが容易であり、このワックスで汚れた衣類は良好な洗浄特性を示す。
【０００４】
特許文献１には、水で落ちるクレヨンにエトキシ化脂肪族アルコールを使用することが記載されている。しかしながら、当該出願の目的は、わずかな成分しか含まない、従ってエトキシ化脂肪族アルコール及び着色剤を主に含有するクレヨンを得ることであるため、上記クレヨンはワックス系クレヨンではない。加えて、上記クレヨンは以下の欠点を有する。
・紙上で粘着性が強く、脂肪分が非常に多く、滑りが悪い。
・クレヨンが紙上で潰れやすいため、得られる堆積物の厚さが一定にならない。
・破断強度又は耐衝撃性が低い。
・（水で容易に落とせるとしても）手が酷く汚れる。
・製造するのが難しい。収縮しないので型から取り出すのが困難であり、冷却時間が長すぎる。
【先行技術文献】
【特許文献】
【０００５】
【特許文献１】欧州特許出願公開第０４３４１６３号明細書
【発明の概要】
【課題を解決するための手段】
【０００６】
従って、本発明は、多孔質面及び非多孔質面用のワックス系着色クレヨンであって、（ａ）少なくとも１種のワックス；（ｂ）エトキシ化脂肪族アルコール；（ｃ）ステアリン；（ｄ）充填剤；（ｅ）少なくとも１種の顔料；及び必要に応じて（ｆ）添加剤を含有する着色クレヨンを提供する。
【０００７】
従って、本発明に係るワックス系着色クレヨンの組成は、クレヨンの基質を構成してその構造及び機械的特性を付与するワックス（ａ）を含有する。
【０００８】
ワックス（ａ）は、天然ワックス（植物、動物、又は昆虫由来）、合成ワックス、又はこれらのワックスの混合物であることが好ましい。特に、上記ワックスは、パラフィン、マイクロクリスタリンワックス、蜜蝋、ポリエチレンワックス、ペンタエリスリトールステアレート、及びこれらの混合物から、より好ましくはパラフィン、マイクロクリスタリンワックス、蜜蝋、及びこれらの混合物から、更に好ましくはパラフィンとマイクロクリスタリンワックスとの混合物及び蜜蝋とマイクロクリスタリンワックスとの混合物から選択される。
【０００９】
好ましい実施形態において、本発明のワックス系着色クレヨン中のワックス（ａ）の含有量は、クレヨンの総重量に対して５〜７５重量％、好ましくは１０〜５０重量％、更に好ましくは１５〜３５重量％、特に２０〜３０重量％の範囲である。
【００１０】
ワックス（ａ）がマイクロクリスタリンワックスを含む場合、本発明のクレヨン中のマイクロクリスタリンワックスの含有量は、クレヨンの総重量に対して５〜２５重量％、特に６〜１５重量％、より好ましくは７〜１４重量％の範囲である。
【００１１】
ワックス（ａ）がパラフィンを含む場合、本発明のクレヨン中のパラフィンの含有量は、クレヨンの総重量に対して５〜４０重量％、特に１０〜２５重量％、より好ましくは１１〜２０重量％の範囲である。
【００１２】
ワックス（ａ）が蜜蝋を含む場合、本発明のクレヨン中の蜜蝋の含有量は、クレヨンの総重量に対して５〜４０重量％、特に１０〜２５重量％、より好ましくは１１〜１５重量％の範囲である。
【００１３】
本発明に係るワックス系着色クレヨンの組成は、エトキシ化脂肪族アルコール（ｂ）を更に含有する。該エトキシ化脂肪族アルコールは、ワックス（ａ）との良好な親和性を保持しつつ、本発明のクレヨンに水溶性を付与できる。
【００１４】
上記エトキシ化脂肪族アルコールは、炭素数１２〜２２の脂肪族アルコールであることが好ましく、炭素数１６〜１８の脂肪族アルコールであることがより好ましい。エトキシ化脂肪族アルコール（ｂ）は、エトキシ化セチルアルコール、エトキシ化ステアリルアルコール、エトキシ化セトステアリルアルコール、及びこれらの混合物から選択されることがより好ましく、下記式Ｉ：
ＣＨ３−（ＣＨ２）ｍ−（Ｏ−ＣＨ２−ＣＨ２）ｎ−ＯＨ
（式中、ｍ＝１５又は１７であり、ｎは、２〜１００、好ましくは２４〜５１、より好ましくは２４〜３０の範囲の整数である）で表されるエトキシ化セトステアリルアルコールであることが好ましい。
【００１５】
特に、上記エトキシ化脂肪族アルコールは、セテアレス−２５又はセテアレス−５０（例えばＬａｍｂｅｒｔｉ社が商品名Ｒｏｌｆｏｒ  ＨＴ／２５又はＲｏｌｆｏｒ  ＨＴ／５０で販売しているもの）であり、なかでもセテアレス−２５（例えばＬａｍｂｅｒｔｉ社が商品名Ｒｏｌｆｏｒ  ＨＴ／２５で販売しているもの）である。
【００１６】
好ましい実施形態において、本発明のクレヨン中のエトキシ化脂肪族アルコール（ｂ）の含有量は、クレヨンの総重量に対して２０〜７０重量％、好ましくは２５〜５０重量％、更に好ましくは２５〜４５重量％の範囲である。
【００１７】
本発明に係るワックス系着色クレヨンの組成は、本発明のクレヨンを滑りやすくする目的でステアリン（ｃ）を更に含有する。
【００１８】
好ましい実施形態において、本発明のクレヨン中のステアリン（ｃ）の含有量は、クレヨンの総重量に対して１０〜４０重量％、好ましくは１５〜３０重量％、更に好ましくは１７〜２５重量％の範囲である。
【００１９】
本発明に係るワックス系着色クレヨンの組成は、希釈充填剤（ｄ）を更に含有する。
【００２０】
充填剤（ｄ）は、粘土、カオリン、モンモリロナイト、ベントナイト、シリカ、マイカ、タルク、炭酸カルシウム、ケイ酸マグネシウム、ケイ酸アルミニウム、及びこれらの混合物からなる群より選択されることが好ましく、好ましくはカオリンである。特に、本発明で使用するのに好適なカオリンは、Ｘ線沈降法粒度分布測定装置を用いて測定した場合に直径が４０マイクロメートル（μｍ）未満の粒子を少なくとも９９％、好ましくは直径が２０μｍ未満の粒子を少なくとも９７％、より好ましくは直径が１０μｍ未満の粒子を少なくとも８６％、更に好ましくは直径が５μｍ未満の粒子を少なくとも６７％、更により好ましくは直径が２μｍ未満の粒子を少なくとも４０％含む。より具体的には、本発明におけるカオリンは、ＢＥＴ比表面積が１１平方メートル／グラム（ｍ２／ｇ）である。更に具体的には、Ａｌ２Ｏ３（例えば３５．４％）、ＳｉＯ２（例えば４９．１％）、Ｋ２Ｏ（例えば２．１％）、Ｆｅ２Ｏ３（例えば０．８５％）、ＭｇＯ（例えば０．２８％）、ＴｉＯ２（例えば０．１％）、Ｎａ２Ｏ（例えば０．０４％）、及び／又はＣａＯ（例えば０．０５％）を含む。好ましい実施形態において、本発明のクレヨン中の充填剤（ｄ）の含有量は、クレヨンの総重量に対して５〜４０重量％、好ましくは１０〜２０重量％、特に１４〜１７重量％の範囲である。
【００２１】
最後に、本発明に係るワックス系着色クレヨンの組成は、クレヨン及び該クレヨンを用いて得られる印に色を付与するための顔料（ｅ）を含有する。
【００２２】
上記顔料は、所望の色に応じて、例えば無機顔料（例えば赤色酸化鉄、二酸化チタン、ウルトラマリン、及び／又はカーボンブラック）及び／又は有機顔料（例えばフタロシアニンブルー（ブルー１５：１、１５：３）、イエロー１４、レーキレッド、オレンジ６４、パープル２３、及び／又はグリーン７）等が当業者に周知である。
【００２３】
好ましい実施形態において、本発明のクレヨン中の顔料（ｅ）の含有量は、クレヨンの総重量に対して２〜１０重量％、好ましくは２．５〜５重量％の範囲である。
【００２４】
本発明に係るワックス系着色クレヨンの組成は、クレヨンに他の特性を付与するために添加剤（ｆ）を含有していてもよい。例えば、フタル酸エステル、エポキシ、及びオイル等の可塑剤、香料、芳香剤、光輝又は光沢成分（例えば光吸収性又は光反射性のもの）、保存料、安定化剤、分散剤、及び消泡剤等が挙げられる。上記添加剤は、例えば分枝状α−オレフィンであってもよい。
【００２５】
好ましい実施形態において、本発明のクレヨン中の添加剤（ｆ）の含有量は、クレヨンの総重量に対して０〜６重量％の範囲である。添加剤（ｆ）が含まれる場合、その含有量は、クレヨンの総重量に対して１〜６重量％の範囲であることが好ましい。
【００２６】
本発明のクレヨンは、エトキシ化ソルビタン脂肪酸エステル及びポリエチレングリコールをどちらも含まないことが好ましい。
【００２７】
本発明に係るワックス系着色クレヨンは、紙、木材、又は厚紙等の多孔質面や、Ｖｅｌｌｅｄａ（登録商標）型ホワイトボード、プラスチック面（好ましくは平滑面）、金属面、更にはガラス等の非多孔質面、特に平滑面に成人又は小児が印を付けたり、筆記したり、描画したりするのに使用できる。非多孔質面の場合、印は簡単に消せるため、通常は一時的なものである。
【００２８】
上記クレヨンは、ワックス系着色クレヨンを製造する方法として当業者に周知の方法で製造される。凹部で成形するというキャスト方法が挙げられる（その後、凹部を冷却してクレヨンを固化させ、取り出すことができる）。従って、上記製造方法は、ワックス（ａ）をその融点より高い温度まで加熱し（ワックス（ａ）の融点は通常５０〜６０℃の範囲であるため、加熱工程は、完全な溶融及び十分な流動性を確保して金型凹部に充填しやすくするために少なくとも８０℃の温度で実施する）、溶融したワックスに他の組成成分（（ｂ）、（ｃ）、（ｄ）、（ｅ）、及び必要に応じて（ｆ））を添加して混合し、その後、混合物を金型（好ましくは金型の凹部）にキャストしてから、金型を冷却して固化させる工程を有していてもよい。
【００２９】
得られたワックス系着色クレヨンは、以下の特徴のうち少なくとも１つ、好ましくは以下の特徴の全てを示す。
・絵筆等を用いて、あるいは指であっても紙等の多孔質面において水彩効果を示す（すなわち、バインダの全部又は一部が溶解するため、堆積物を多孔質面に広げることができるので、もはや不透明ではない「透明」な「薄塗り」を得ることができる）。
・Ｖｅｌｌｅｄａ（登録商標）型ホワイトボード等の非多孔質面、特に平滑面において乾燥したら消すことができる（特に、クレヨンを消すのに強く押す必要はない）。
・Ｖｅｌｌｅｄａ（登録商標）型ホワイトボード等の非多孔質面、特に平滑面において水で（例えば湿らせた布を用いて）消すことができる。
・衣類についた場合に、特に洗濯機を用いて、良好に洗浄できる。
・特に石鹸を使用しなくても冷水によって、肌から容易に洗い落とすことができる。
【００３０】
加えて、本発明のクレヨンは不快な臭いを有さず、特に無臭である。
【００３１】
以下の実施例によって本発明を更に理解できるが、これらは例示であり、本発明を限定するものではない。
【実施例】
【００３２】
（例１：本発明に係るワックス系着色クレヨンの組成例）
本発明に係る緑色クレヨンの正確な組成をそれぞれ以下の表１にまとめる。
【００３３】
【表１】
2019510098.tif 000002
【００３４】
本発明に係る赤色、黄色、橙色、シクラメン色、及び青色のクレヨンも、実施例３の組成に基づき、使用する顔料の種類だけを変更して製造した。いずれの色も、混合物中の顔料を適宜選択することで得られる。
【００３５】
得られたクレヨンはいずれも以下の特徴を有している。
・絵筆を用いて紙上で水彩効果を示す。
・Ｖｅｌｌｅｄａ（登録商標）型ホワイトボード上において乾燥状態で消すことができる。
・Ｖｅｌｌｅｄａ（登録商標）型ホワイトボード上において湿らせた布を用いて消すことができる。
・衣類についた場合に洗濯機を用いて良好に洗浄できる。
・石鹸を使用しなくても冷水によって肌から容易に洗い落とすことができる。
【００３６】
（例２：ワックス系着色クレヨンの比較組成例）
エトキシ化脂肪族アルコールの代わりにエトキシ化ステアリン酸を用いた緑色クレヨンの正確な組成を以下の表２に示す。
【００３７】
【表２】
2019510098.tif 000003
【００３８】
得られたクレヨンは、Ｖｅｌｌｅｄａ（登録商標）型ホワイトボード等の非多孔質面において乾燥状態で消すことができず、紙上での水彩効果もそれほど良好ではなかった。加えて、製造方法に関しては、得られた混合物は粘着性があり、あまり滑りがよくないため、金型にキャストするのが困難である。
【００３９】
従って、多孔質面及び非多孔質面のいずれにおいても、本発明のクレヨンにその全ての利点を付与できるのはエトキシ化脂肪族アルコールだけである。
【国際調査報告】
2019510098.tif 000004
2019510098.tif 000005
2019510098.tif 000006
2019510098.tif 000007